(57)【要約】【課題】システムの運用を停止することなく、セキュリティ領域内に新規に設置された情報処理機器を登録する。【解決手段】機器認証部３４が、複合機２からの認証要求に含まれる機器認証ＩＤ及び機器ＩＤを取得し、取得した機器認証ＩＤ及び機器ＩＤが登録されているか否かをデータベース３７を参照して判断し、取得した機器認証ＩＤが登録されており、取得した機器ＩＤが登録されていない場合に、取得した機器認証ＩＤ及び機器ＩＤを含む機器情報を機器登録部３５に通知する。  そして、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断し、機器認証部３４から通知された機器情報に含まれる機器ＩＤを判断したセキュリティ領域と関連づけてデータベース３７に登録する。【選択図】図３
2010055203.tif 000002
【特許請求の範囲】
【請求項１】
所定のセキュリティ領域への入退室を管理する入退室管理システムと当該セキュリティ領域内に設置されている情報処理機器とを連携制御する連携制御装置であって、
入退室管理システムからの入退室情報を受信する入退室情報受信手段と、
前期入退室情報受信手段により受信された入退室情報に含まれる入退室認証ＩＤに係るユーザが在室しているセキュリティ領域を該入退室情報に含まれる扉情報を基づき判断し、判断したセキュリティ領域と関連づけて当該入退室認証ＩＤを記録する在室情報記録手段と、
前記情報処理機器からの認証要求を受信する認証要求受信手段と、
前記認証要求受信手段により受信された認証要求に含まれる機器認証ＩＤ及び機器ＩＤが登録されているか否かを判断する機器認証手段と、
前記機器認証ＩＤが登録されており、かつ前記機器ＩＤが登録されていないと前記機器認証手段が判断した場合に、前記認証要求受信手段により受信された認証要求に含まれる機器認証ＩＤに係るユーザがセキュリティ領域のいずれに在室しているかを対応する前記入退室認証ＩＤに基づき判断して、前記認証要求受信手段により受信された認証要求に含まれる機器ＩＤを判断したセキュリティ領域と関連づけて登録する機器登録手段と
を備えたことを特徴とする連携制御装置。
【請求項２】
前記機器登録手段は、前記機器認証ＩＤが登録されており、かつ前記機器ＩＤが登録されていないと前記機器認証手段が判断した場合に、前記認証要求受信手段により受信された認証要求に含まれる機器認証ＩＤに係るユーザがセキュリティ領域のいずれに在室しているかを対応する前記入退室認証ＩＤに基づき判断して、前記認証要求受信手段により受信された認証要求に含まれる機器ＩＤを判断したセキュリティ領域と関連づけて記録し、その後に、前記認証要求受信手段により受信された認証要求に含まれる機器ＩＤと前記記録した機器ＩＤが一致し、かつ該認証要求に含まれる機器認証ＩＤに係るユーザが在室しているセキュリティ領域と前記記録した機器ＩＤに関連づけられたセキュリティ領域が一致した場合に、前記認証要求受信手段により受信された認証要求に含まれる機器ＩＤを判断したセキュリティ領域と関連づけて登録することを特徴とする請求項１に記載の連携制御装置。
【請求項３】
前記機器登録手段は、前記認証要求受信手段により受信された認証要求に含まれる機器ＩＤを該認証要求に含まれる機器認証ＩＤと関連づけて記録し、その後に、前記認証要求受信手段により受信された認証要求に含まれる機器認証ＩＤと前記記録した機器ＩＤに関連づけられた機器認証ＩＤが一致しない場合に、前記認証要求受信手段により受信された認証要求に含まれる機器ＩＤを判断したセキュリティ領域と関連づけて登録することを特徴とする請求項２に記載の連携制御装置。
【発明の詳細な説明】
【技術分野】
【０００１】
本発明は、所定のセキュリティ領域への入退室を管理する入退室管理システムと当該セキュリティ領域内に設置されている情報処理機器とを連携制御する連携制御装置に関する。
【背景技術】
【０００２】
従来、所定のセキュリティ領域への入退室を管理する入退室管理システムと当該セキュリティ領域内に設置されているユーザ認証機能を備えた複合機とを連携させ、複合機からの認証要求に対して行われる認証処理の条件に、当該複合機が設置されているセキュリティ領域に認証対象となるユーザが在室しているかという条件を加えることでドキュメントセキュリティをさらに高めることができる連携制御装置が提案されている。
【特許文献１】特開平６−１０８７１７号公報
【発明の開示】
【発明が解決しようとする課題】
【０００３】
ところで、このような連携制御装置では、システムの運用を開始する前に、各セキュリティ領域を定義するための入室用カードリーダ及び退室用カードリーダの登録や各セキュリティ領域内に設置されている複合機の登録を正規ユーザの登録以外に行わなければならず、従来の連携制御装置では、セキュリティ領域の登録時に合わせてこのような機器の登録を行っていた。このため、既に登録されているセキュリティ領域内に新規に複合機を設置した場合には登録されているセキュリティ領域を削除して設定し直さなければならず、再設定している間、当該セキュリティ領域に在室しているユーザは、複合機を利用することができなくなってしまう。
【０００４】
本発明は、このような事情に鑑みてなされたものであり、その目的とするところは、システムの運用を停止することなく、セキュリティ領域内に新規に設置された情報処理機器を登録することができる連携制御装置を提供することにある。
【課題を解決するための手段】
【０００５】
本発明に係る連携制御装置は、上記の課題を解決するために、所定のセキュリティ領域への入退室を管理する入退室管理システムと当該セキュリティ領域内に設置されている情報処理機器とを連携制御する連携制御装置であって、入退室管理システムからの入退室情報を受信する入退室情報受信手段と、前期入退室情報受信手段により受信された入退室情報に含まれる入退室認証ＩＤに係るユーザが在室しているセキュリティ領域をこの入退室情報に含まれる扉情報を基づき判断し、判断したセキュリティ領域と関連づけて当該入退室認証ＩＤを記録する在室情報記録手段と、情報処理機器からの認証要求を受信する認証要求受信手段と、認証要求受信手段により受信された認証要求に含まれる機器認証ＩＤ及び機器ＩＤが登録されているか否かを判断する機器認証手段と、機器認証ＩＤが登録されており、かつ機器ＩＤが登録されていないと機器認証手段が判断した場合に、認証要求受信手段により受信された認証要求に含まれる機器認証ＩＤに係るユーザがセキュリティ領域のいずれに在室しているかを対応する入退室認証ＩＤに基づき判断して、認証要求受信手段により受信された認証要求に含まれる機器ＩＤを判断したセキュリティ領域と関連づけて登録する機器登録手段とを備えたことを特徴とする。
【発明の効果】
【０００６】
本発明に係る連携制御装置によれば、受信した認証要求に含まれる機器認証ＩＤが登録されており、かつこの認証要求に含まれる機器ＩＤが登録されていない場合に、機器認証ＩＤに係るユーザがセキュリティ領域のいずれに在室しているかを対応する入退室認証ＩＤに基づき判断して、判断したセキュリティ領域と関連づけて機器ＩＤを登録するので、システムの運用を停止することなく、セキュリティ領域内に新規に設置された情報処理機器を登録することができる。
【発明を実施するための最良の形態】
【０００７】
本発明の実施形態について図面を参照しながら説明する。
【０００８】
本発明の実施形態に係る連携制御システムは、図１に示すように、入退室管理システム１と、複合機２と、連携制御装置３とで構成されている。
【０００９】
入退室管理システム１は、セキュリティ領域への入室又は退室を希望しているユーザに対して認証処理を行い、あらかじめ登録されている正規ユーザであると認証した場合にセキュリティ領域への入室又は退室を許可する。なお、ここで、セキュリティ領域とは、図２に示す部屋Ａや部屋Ｂのように、入退室管理システム１により入退室を管理されている壁や扉などで仕切られた所定の空間をいう。また、以降で、在室とは、このセキュリティ領域内にいることを意味する。入退室管理システム１は、具体的には、入室用カードリーダ１１と、退室用カードリーダ１２と、コントロールユニット１３とで構成されている。
【００１０】
入室用カードリーダ１１及び退室用カードリーダ１２は、図２に示すように、セキュリティ領域となる部屋の入室側又は退室側に設置されており、ユーザが所持するＩＣカード１４内に記録されている入退室認証ＩＤを読み取る。
【００１１】
コントロールユニット１３は、入室用カードリーダ１１及び退室用カードリーダ１２により読み取られた入退室認証ＩＤに対して認証処理を行い、あらかじめ登録されている入退室認証ＩＤであると認証した場合にセキュリティ領域の入退室口に設けられた扉（図２参照）を解錠する。この際、コントロールユニット１３は、認証した入退室認証ＩＤと解錠した扉に関する情報（以降、扉情報と表記）とを含む入退室情報を連携制御装置３へ送信する。なお、ここで、扉情報とは、扉を一意に特定する情報及び入退室を示す情報であり、たとえば、入室用カードリーダ１１や退室用カードリーダ１２の機器ＩＤなどである。
【００１２】
複合機２は、図２に示すように、セキュリティ領域内に設置されており、当該複合機２の利用を希望しているユーザの認証を連携制御装置３に対して要求し、あらかじめ登録されている正規ユーザであると連携制御装置３が認証した場合に、コピー機能や、プリント機能、スキャン機能、ファックス機能などの各種機能の利用を許可する。
【００１３】
具体的には、複合機２には、ユーザが所持するＩＣカード１４内に記録されている機器認証ＩＤを読み取る複合機用カードリーダ２１とユーザが利用するユーザＰＣ２２が接続されており、複合機２は、複合機用カードリーダ２１により読み取られた機器認証ＩＤと当該複合機２の機器ＩＤとを含む認証要求を連携制御装置３へ送信する。そして、あらかじめ登録されている正規ユーザであると連携制御装置３が認証した場合には、複合機２は、ネットワークを経由した、ユーザＰＣ２２からの各種機能の利用や当該複合機２の直接操作による各種機能の利用を許可する。
【００１４】
連携制御装置３は、入退室管理システム１と複合機２とを連携させ、複合機２からの認証要求に対して認証処理を行い、認証結果の応答を複合機２に送信する。具体的には、連携制御装置３は、図３に示すように、入退室情報受信Ｉ／Ｆ３１と、認証情報送受信Ｉ／Ｆ３２と、在室情報記録部３３と、機器認証部３４と、機器登録部３５と、候補ＩＤ記憶部３６と、データベース３７とで構成されている。
【００１５】
入退室情報受信Ｉ／Ｆ３１は、入退室管理システム１と通信するための通信インターフェースであり、入室管理システムから送信される入退室情報を受信する。なお、入退室管理システム１との通信には、Ｅｔｈｅｒｎｅｔ（登録商標）などのＴＣＰ／ＩＰ通信やシリアル通信などが用いられる。
【００１６】
認証情報送受信Ｉ／Ｆ３２は、複合機２と通信するための通信インターフェースであり、複合機２から送信される認証要求を受信する。なお、複合機２との通信には、Ｅｔｈｅｒｎｅｔ（登録商標）などのＴＣＰ／ＩＰ通信などが用いられる。
【００１７】
在室情報記録部３３は、入退室管理システム１からの入退室情報に含まれる入退室認証ＩＤ及び扉情報を取得し、取得した入退室認証ＩＤに係るユーザが在室しているセキュリティ領域を取得した扉情報をもとにデータベース３７を参照して判断し、判断したセキュリティ領域と関連づけて取得した入退室認証ＩＤをデータベース３７に記録する。
【００１８】
機器認証部３４は、複合機２からの認証要求に含まれる機器認証ＩＤ及び機器ＩＤを取得し、取得した機器認証ＩＤ及び機器ＩＤが登録されているか否かをデータベース３７を参照して判断する。取得した機器認証ＩＤ及び機器ＩＤが登録されている場合には、機器認証部３４は、取得した機器認証ＩＤに対応する入退室認証ＩＤに係るユーザが在室しているセキュリティ領域と取得した機器ＩＤに関連づけられたセキュリティ領域が一致する否かをデータベース３７を参照して判断し、両者が一致する場合に、認証完了の応答を複合機２へ送信する。
【００１９】
なお、両者が一致しない場合や、取得した機器認証ＩＤ及び機器ＩＤが登録されていない場合には、機器認証部３４は、認証失敗の応答を複合機２へ送信する。また、取得した機器認証ＩＤが登録されており、取得した機器ＩＤが登録されていない場合には、機器認証部３４は、取得した機器認証ＩＤ及び機器ＩＤを含む機器情報を機器登録部３５に通知する。
【００２０】
機器登録部３５は、機器認証部３４から通知された機器情報に含まれる機器認証ＩＤに係るユーザがセキュリティ領域のいずれに在室しているかを対応する入退室認証ＩＤをもとにデータベース３７を参照して判断し、判断したセキュリティ領域及び当該機器認証ＩＤと関連づけて機器認証部３４から通知された機器情報に含まれる機器ＩＤを候補ＩＤ記憶部３６に記録する。
【００２１】
同一の機器ＩＤが既に記録されている場合には、機器登録部３５は、記録されている機器ＩＤに関連づけられたセキュリティ領域と判断したセキュリティ領域が一致する否かを候補ＩＤ記憶部３６を参照して判断する。両者が一致する場合には、機器登録部３５は、機器認証部３４から通知された機器情報に含まれる機器認証ＩＤと記録されている機器ＩＤに関連づけられた機器認証ＩＤが一致する否かを候補ＩＤ記憶部３６を参照して判断し、両者が一致しない場合に、機器認証部３４から通知された機器情報に含まれる機器ＩＤを判断したセキュリティ領域と関連づけてデータベース３７に登録する。
【００２２】
なお、機器登録部３５は、機器ＩＤを登録する際のセキュリティモードを切り替える機能を備えており、高セキュリティモードに設定されていないときには、機器認証部３４から通知された機器情報に含まれる機器認証ＩＤと記録されている機器ＩＤに関連づけられた機器認証ＩＤが一致する場合でも機器認証部３４から通知された機器情報に含まれる機器ＩＤを判断したセキュリティ領域と関連づけてデータベース３７に登録する。
【００２３】
候補ＩＤ記憶部３６は、機器認証部３４から通知された機器情報に含まれる機器ＩＤをこの機器情報に含まれる機器認証ＩＤ及び所定のセキュリティ領域と関連づけて記憶する一時的に記憶する。
【００２４】
データベース３７は、正規ユーザが所持するＩＣカード１４内に記録されている機器認証ＩＤ及び入退室認証ＩＤを対応づけて記憶するカード情報記憶部３７Ａと、入退室管理システム１との通信の設定情報などを記憶する設定情報記憶部３７Ｂと、セキュリティ領域に設置されている複合機２の機器ＩＤを当該セキュリティ領域と関連づけて記憶する機器情報記憶部３７Ｃと、セキュリティ領域を定義する入室用カードリーダ１１及び退室用カードリーダ１２を記憶する部屋情報記憶部３７Ｄと、入退室管理システム１からの入退室情報に含まれる入退室認証ＩＤを所定のセキュリティ領域と関連づけて一時的に記憶する在室情報記憶部３７Ｅとを備えている。
【００２５】
つぎに、ユーザの在室情報を記録する際の連携制御装置３の処理動作について図４を用いて説明する。
【００２６】
入退室管理システム１が、セキュリティ領域への入室又は退室を許可すると、まず、入退室情報受信Ｉ／Ｆ３１が、入退室管理システム１から送信される入退室情報を受信（Ｓ１０１）する。
【００２７】
そして、在室情報記録部３３が、入退室情報受信Ｉ／Ｆ３１により受信された入退室情報に含まれる入退室認証ＩＤ及び扉情報を取得（Ｓ１０２）し、取得した入退室認証ＩＤに係るユーザが在室しているセキュリティ領域を取得した扉情報をもとにデータベース３７を参照して判断（Ｓ１０３）し、判断したセキュリティ領域と関連づけて取得した入退室認証ＩＤをデータベース３７に記録（Ｓ１０４）する。
【００２８】
つぎに、未登録の機器ＩＤを登録する際の連携制御装置３の処理動作について図５を用いて説明する。
【００２９】
複合機２が、当該複合機２の利用を希望しているユーザの認証を連携制御装置３に対して要求すると、まず、認証情報送受信Ｉ／Ｆ３２が、複合機２から送信される認証要求を受信（Ｓ２０１）する。
【００３０】
そして、機器認証部３４が、認証情報送受信Ｉ／Ｆ３２により受信された認証要求に含まれる機器認証ＩＤ及び機器ＩＤを取得（Ｓ２０２）し、取得した機器認証ＩＤ及び機器ＩＤが登録されているか否かをデータベース３７を参照して判断（Ｓ２０３）し、取得した機器認証ＩＤが登録されており、取得した機器ＩＤが登録されていない場合には、取得した機器認証ＩＤ及び機器ＩＤを含む機器情報を機器登録部３５に通知（Ｓ２０４）する。
【００３１】
その後、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断（Ｓ２０５）し、判断したセキュリティ領域及び当該機器認証ＩＤと関連づけて機器認証部３４から通知された機器情報に含まれる機器ＩＤを候補ＩＤ記憶部３６に記録（Ｓ２０６）する。
【００３２】
引き続き、未登録の機器ＩＤを登録する際の連携制御装置３の処理動作について図６を用いて説明する。
【００３３】
複合機２が、再度、当該複合機２の利用を希望しているユーザの認証を連携制御装置３に対して要求すると、まず、認証情報送受信Ｉ／Ｆ３２が、複合機２から送信される認証要求を受信（Ｓ３０１）する。以降、ステップＳ３０４までは、前述した、図５における処理動作と同様であるので、説明を省略する。
【００３４】
ステップＳ３０４の後、機器登録部３５が、機器認証部３４から通知された機器情報に含まれる機器ＩＤが記録されているか否かを候補ＩＤ記憶部３６を参照して判断（Ｓ３０５）する。
【００３５】
同一の機器ＩＤが既に記録されている場合には、機器登録部３５は、記録されている機器ＩＤに関連づけられたセキュリティ領域と判断したセキュリティ領域が一致する否かを候補ＩＤ記憶部３６を参照して判断（Ｓ３０５）する。両者が一致する場合には、機器登録部３５は、機器認証部３４から通知された機器情報に含まれる機器認証ＩＤと記録されている機器ＩＤに関連づけられた機器認証ＩＤが一致する否かを候補ＩＤ記憶部３６を参照して判断（Ｓ３０５）し、両者が一致しない場合に、機器認証部３４から通知された機器情報に含まれる機器ＩＤを判断したセキュリティ領域と関連づけてデータベース３７に登録（Ｓ３０６）する。
【００３６】
つぎに、再度、未登録の機器ＩＤを登録する際の連携制御装置３の処理動作について図７を用いて説明する。
【００３７】
未登録の機器ＩＤを登録する際の連携制御装置３の処理は、システムの運用が開始されたタイミングで開始となり、ステップＳ４０１に進む。
【００３８】
ステップＳ４０１では、認証情報送受信Ｉ／Ｆ３２が、複合機２から送信された認証要求を受信する。その後、処理は、ステップＳ４０２に進む。
【００３９】
ステップＳ４０２では、機器認証部３４が、認証情報送受信Ｉ／Ｆ３２により受信された認証要求に含まれる機器認証ＩＤを取得し、取得した機器認証ＩＤが登録されているか否かをデータベース３７を参照して判断する。取得した機器認証ＩＤが登録されている場合には、処理は、ステップＳ４０３に進む。一方、取得した機器認証ＩＤが登録されていない場合には、ステップＳ４０１に戻る。
【００４０】
ステップＳ４０３では、機器認証部３４が、取得した機器ＩＤが登録されているか否かをデータベース３７を参照して判断する。取得した認証ＩＤが登録されていない場合には、機器認証部３４は、取得した機器認証ＩＤ及び機器ＩＤを含む機器情報を機器登録部３５に通知する。その後、処理は、ステップＳ４０４に進む。
【００４１】
一方、取得した機器ＩＤが登録されている場合には、処理は、通常の認証処理に進む。すなわち、機器認証部３４が、取得した機器認証ＩＤに対応する入退室認証ＩＤに係るユーザが在室しているセキュリティ領域と取得した機器ＩＤに関連づけられたセキュリティ領域が一致する否かをデータベース３７を参照して判断し、両者が一致する場合には、認証完了の応答を複合機２へ送信し、両者が一致しない場合や、取得した機器認証ＩＤ及び機器ＩＤが登録されていない場合には、認証失敗の応答を複合機２へ送信する。
【００４２】
ステップＳ４０４では、機器登録部３５が、機器認証部３４から通知された機器情報に含まれる機器ＩＤが記録されているか否かを候補ＩＤ記憶部３６を参照して判断する。機器認証部３４から通知された機器情報に含まれる機器ＩＤが記録されていない場合には、処理は、ステップＳ４０５に進む。
【００４３】
ステップＳ４０５では、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断する。その後、処理は、ステップＳ４０６に進む。
【００４４】
ステップＳ４０６では、機器登録部３５が、判断したセキュリティ領域及び当該機器認証ＩＤと関連づけて機器認証部３４から通知された機器情報に含まれる機器ＩＤを候補ＩＤ記憶部３６に記録する。その後、処理は、ステップＳ４０１に戻る。
【００４５】
他方、ステップＳ４０４において、機器認証部３４から通知された機器情報に含まれる機器ＩＤが既に記録されている場合には、処理は、ステップＳ４０７に進む。
【００４６】
ステップＳ４０７では、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断する。その後、処理は、ステップＳ４０８に進む。
【００４７】
ステップＳ４０８では、機器登録部３５が、記録されている機器ＩＤに関連づけられたセキュリティ領域と判断したセキュリティ領域が一致する否かを候補ＩＤ記憶部３６を参照して判断する。両者が一致する場合には、処理は、ステップＳ４０９に進む。一方、両者が一致しない場合には、処理は、ステップＳ４０１に戻る。
【００４８】
ステップＳ４０９では、機器登録部３５が、機器認証部３４から通知された機器情報に含まれる機器認証ＩＤと記録されている機器ＩＤに関連づけられた機器認証ＩＤが一致する否かを候補ＩＤ記憶部３６を参照して判断する。両者が一致しない場合には、処理は、ステップＳ４１０に進む。
【００４９】
ステップＳ４１０では、機器登録部３５が、高セキュリティモードに設定されているか否かを判断し、高セキュリティモードに設定されている場合には、処理は、ステップＳ４１２に進む。一方、高セキュリティモードに設定されていない場合、すなわち、低セキュリティモードなどに設定されている場合には、処理は、ステップＳ４０１に戻る。
【００５０】
他方、ステップＳ４０９において、両者が一致する場合には、処理は、ステップＳ４１１に進む。
【００５１】
ステップＳ４１１では、機器登録部３５が、高セキュリティモードに設定されているか否かを判断し、高セキュリティモードに設定されていない場合、すなわち、低セキュリティモードなどに設定されている場合には、処理は、ステップＳ４１２に進む。一方、高セキュリティモードに設定されている場合には、処理は、ステップＳ４０１に戻る。
【００５２】
ステップＳ４１２では、機器登録部３５が、機器認証部３４から通知された機器情報に含まれる機器ＩＤを判断したセキュリティ領域と関連づけてデータベース３７に登録する。
【００５３】
以上の説明から明らかなように、本発明の実施形態は、機器認証部３４が、複合機２からの認証要求に含まれる機器認証ＩＤ及び機器ＩＤを取得し、取得した機器認証ＩＤ及び機器ＩＤが登録されているか否かをデータベース３７を参照して判断し、取得した機器認証ＩＤが登録されており、取得した機器ＩＤが登録されていない場合に、取得した機器認証ＩＤ及び機器ＩＤを含む機器情報を機器登録部３５に通知する。
【００５４】
そして、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断し、機器認証部３４から通知された機器情報に含まれる機器ＩＤを判断したセキュリティ領域と関連づけてデータベース３７に登録する。
【００５５】
このため、本発明の実施形態によれば、システムの運用を停止することなく、セキュリティ領域内に新規に設置された複合機２を登録することができる。
【００５６】
また、本発明の実施形態は、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断し、判断したセキュリティ領域及び当該機器認証ＩＤと関連づけて機器認証部３４から通知された機器情報に含まれる機器ＩＤを候補ＩＤ記憶部３６に記録する。
【００５７】
そして、同一の機器ＩＤが既に記録されている場合には、機器登録部３５は、記録されている機器ＩＤに関連づけられたセキュリティ領域と判断したセキュリティ領域が一致する否かを候補ＩＤ記憶部３６を参照して判断し、両者が一致する場合に、機器認証部３４から通知された機器情報に含まれる機器ＩＤを判断したセキュリティ領域と関連づけてデータベース３７に登録する。
【００５８】
このため、本発明の実施形態によれば、複合機３の誤登録を防止することができるとともに、セキュリティ性に配慮した複合機３の登録を行うことができる。
【００５９】
さらに、本発明の実施形態は、機器登録部３５が、機器認証部３４から通知された機器情報に含まれる機器認証ＩＤに係るユーザがセキュリティ領域のいずれに在室しているかを対応する入退室認証ＩＤをもとにデータベース３７を参照して判断し、判断したセキュリティ領域及び当該機器認証ＩＤと関連づけて機器認証部３４から通知された機器情報に含まれる機器ＩＤを候補ＩＤ記憶部３６に記録する。
【００６０】
そして、同一の機器ＩＤが既に記録されている場合には、機器登録部３５は、記録されている機器ＩＤに関連づけられたセキュリティ領域と判断したセキュリティ領域が一致する否かを候補ＩＤ記憶部３６を参照して判断する。そして、両者が一致する場合には、機器登録部３５は、記録されている機器ＩＤに関連づけられた機器認証ＩＤと機器認証部３４から通知された機器情報に含まれる機器認証ＩＤが一致する否かを候補ＩＤ記憶部３６を参照して判断し、両者が一致しない場合に、機器認証部３４から通知された機器情報に含まれる機器ＩＤを判断したセキュリティ領域と関連づけてデータベース３７に登録する。
【００６１】
このため、本発明の実施形態によれば、よりセキュリティ性に配慮した複合機３の登録を行うことができる。
【００６２】
以上、本発明者によってなされた発明を適用した一実施形態について説明したが、この実施形態による開示の一部をなす論述及び図面により本発明が限定されることはない。すなわち、本実施形態に基づいて当業者によってなされる、ほかの実施形態、運用技術、及び実施例などは本発明の範囲にすべて含まれることを付け加えておく。
【図面の簡単な説明】
【００６３】
【図１】本発明の実施形態に係る連携制御システムの構成を示す構成図である。
【図２】本発明の実施形態に係る連携制御システムの設置例を示す設置図である。
【図３】本発明の実施形態となる連携制御装置の構成を示すブロック図である。
【図４】本発明の実施形態となる連携制御装置の、ユーザの在室情報を記録する際の処理動作を示すタイミングチャートである。
【図５】本発明の実施形態となる連携制御装置の、未登録の機器ＩＤを記録する際の処理動作を示すタイミングチャートである。
【図６】本発明の実施形態となる連携制御装置の、未登録の機器ＩＤを登録する際の処理動作を示すタイミングチャートである。
【図７】本発明の実施形態となる連携制御装置の、未登録の機器ＩＤを登録する際の処理動作を示すフローチャートである。
【符号の説明】
【００６４】
１  入退室管理システム
１１  入室用カードリーダ
１２  退室用カードリーダ
１３  コントロールユニット
１４  ＩＣカード
２  複合機（情報処理機器）
２１  複合機用カードリーダ
２２  ユーザＰＣ
３  連携制御装置
３１  入退室情報受信Ｉ／Ｆ（入退室情報受信手段）
３２  認証情報送受信Ｉ／Ｆ（認証要求受信手段）
３３  在室情報記録部（在室情報記録手段）
３４  機器認証部（機器認証手段）
３５  機器登録部（機器登録手段）
３６  候補ＩＤ記憶部（機器登録手段）
３７  データベース（在室情報記録手段、機器認証手段、及び機器登録手段）
３７Ａ  カード情報記憶部
３７Ｂ  設定情報記憶部
３７Ｃ  機器情報記憶部
３７Ｄ  部屋情報記憶部
３７Ｅ  在室情報記憶部
【図１】
2010055203.tif 000003
【図２】
2010055203.tif 000004
【図３】
2010055203.tif 000005
【図４】
2010055203.tif 000006
【図５】
2010055203.tif 000007
【図６】
2010055203.tif 000008
【図７】
2010055203.tif 000009